(57)【要約】      （修正有）【課題】構造が簡単且つシンプルで、加工性、組付性、経済性に優れ、緊急時に位牌と遺骨の持ち運びが簡単な仏具を提供する。【手段】台座１と、台座上にそれぞれ起立させた位牌２及び遺骨収納容器３とを備え、位牌の下部を台座に形成した穴４内に嵌合して立て掛け、遺骨収納容器を遺骨を収納する筒部５と、筒部の上部に着脱自在に取付けた蓋６とで構成し、筒部を台座に形成した他の穴７内に嵌合して立て掛ける。【選択図】図１
0003211633.tif 000002
【実用新案登録請求の範囲】
【請求項１】
台座（１）と、上記台座（１）上にそれぞれ起立させた位牌（２）及び遺骨収納容器（３）とを備え、上記位牌（２）の下部を上記台座（１）に形成した穴（４）内に嵌合して立て掛け、上記遺骨収納容器（３）を遺骨を収納する筒部（５）と、上記筒部（５）の上部に着脱自在に取付けた蓋（６）とで構成し、上記筒部（５）を上記台座（１）に形成した他の穴（５）内に嵌合して立て掛けたことを特徴とする仏具。
【請求項２】
上記蓋（６）が上記筒部（５）の上端開口部に着脱自在に嵌合させた中蓋（６Ａ）と上記中蓋（６Ａ）の上方から上記筒部（５）の上部に着脱自在に取付けた上蓋（６Ｂ）とで構成している請求項１に記載の仏具。
【請求項３】
支持台（１０）と、上記支持台（１０）の背部に起立して家紋、寺紋風景又は経歴等を表示したパネル（１１）と、上記支持台（１０）上に立て掛けた請求項１に記載の仏具（Ａ）と、同じく上記支持台上に上記仏具（Ａ）に近接してそれぞれ立て掛けた線香竪（Ｂ）、ロウソク竪（Ｃ）及び花瓶（Ｄ）とを備えた仏壇。
【考案の詳細な説明】
【技術分野】
【０００１】
本考案は、位牌と分骨を収納した容器とを同時に備えた仏具に関するものである。
【背景技術】
【０００２】
一般に、家庭用の仏壇等の仏具は、戒名を記載した札板からなる一つ又は複数の位牌をロウソク竪、線香竪、花瓶等と共に祭壇に立て掛けて故人を偲び、また、祖先の霊を祭っているのが普通である。
【０００３】
しかしながら、位牌には戒名が記載されているだけであり、死亡して間もない故人の遺骨は墓場に収納されているため故人を身近に感じて忍ぶことが難しい場合がある。
【０００４】
この為、最近は、位牌と一緒に故人の遺骨を収納した仏壇等の仏具が家庭でも使用されるようになり、例えば特許文献１や、特許文献２に示す仏具が開発されている。
【０００５】
特許文献１に示す仏具は、台座と、この台座の上に起立させた戒名を記載した札板とで位牌を成形し、更に台座と札板との間に遺骨を収納した遺骨用容器を組み込み、両者をマグネットと、嵌合凹部に挿入する嵌合凸部からなる連結部材とを介して結合させたものである。
【０００６】
同じく、特許文献２に示す仏具は、台座と、台座上にこの台座の差込口に差し込んで起立した戒名札板とで位牌を成形し、更に、台座に形成した引き出し収納室膣に遺骨を収納した納骨容器を入れた引き出しを挿入したものである。
【先行技術文献】
【特許文献】
【０００７】
特許文献１（特開２０１２−２１３５３８号公報  図２、段落１６、要約参照）  
特許文献２（特開２００５−１４３６６６号公報  図２、段落００２５、要約参照）
【考案の概要】
【考案が解決しようとする課題】
【０００８】
しかしながら、上記特許文献１、特許文献２に開示されている仏具は機能上特に欠陥があるわけでないが、次のような不具合の改善が望まれている。
【０００９】
即ち、特許文献１に示す仏具は札板下面と台座上面との間にそれぞれマグネットを設け、また両者の間に嵌合孔と嵌合凸部とをそれぞれ設け、これらの連結部材を介して札板と台座とを結合しているので連結部材の構造が複雑であり、また、札板を台座に着脱させる操作が面倒であり、その結果加工性、組付性、操作性、経済性に不利である。
同じく、特許文献２に示す仏具は、台座に引き出し収納膣を設け、この収納膣に挿入させる引き出しを設ける必要があるので構造が大型で複雑となり、加工性、組付性、経済性に不利であり、火災等の緊急時における持ち運びも不便である。
【００１０】
そこで、本考案は、構造が簡単且つシンプルで、加工性、組付性、経済性に優れ、緊急時に位牌と遺骨の持ち運びが簡単な仏具を提供することである。
【課題を解決するための手段】
【００１１】
上記の目的を達成する為、本考案の手段は、台座と、上記台座上にそれぞれ起立させた位牌及び遺骨収納容器とを備え、上記位牌の下部を上記台座に形成した穴内に嵌合して立て掛け、上記遺骨収納容器を遺骨を収納する筒部と、上記筒部の上部に着脱自在に取付けた蓋とで構成し、上記筒部を上記台座に形成した他の穴内に嵌合して立て掛けたことを特徴とするものである。
【考案の効果】
【００１２】
各請求項の考案によれば、次の特有の効果を達成できる。
Ａ）本考案の仏具は、台座と、台座に形成した穴に挿入して起立した位牌及び遺骨収納容器のみで構成しているので、構造が簡単で、シンプルであり、加工性に優れている。
Ｂ）同じく、位牌は台座に形成した穴内に嵌合して立て掛けただけであり、遺骨収納容器も台座に形成した他の穴内に嵌合して立て掛けるだけであるから、これら位牌と遺骨収納容器の台座に対する結合構造が簡単であり、特別な機械的な結合構造が不要となり、加工性、組付性、経済性に優れている。
Ｃ）位牌と遺骨収納容器は台座に形成した穴内に嵌合させているだけであるから、火災等の緊急時にこれらを穴から抜いて簡単に外部に持ち運びできる。
同様に、家族が長期間の外出、旅行時にもこれらの位牌と遺骨収納容器を台座から抜きだして巾着等に収容して帯同することにより常に故人を身近に感じながら忍ぶことができる。
【図面の簡単な説明】
【００１３】
【図１】本考案の実施の形態に係る正面側から見た仏具の斜視図である。
【図２】同じく背面側から見た仏具の斜視図である。
【図３】図１に示す仏具の縦断側面図である。
【図４】図１に示す仏具を立て掛けた仏壇の斜視図である。
【考案を実施するための形態】
【００１４】
以下本考案の実施の形態を図に基づいて説明する。
【００１５】
本考案は、仏具に関し、特に位牌と遺骨収納容器とを備えた仏具に関する。
【００１６】
本考案に係る仏具Ａは、図１〜図３に示すように、台座１と、台座１上にそれぞれ起立させた位牌２及び遺骨収納容器３とを備えている。
【００１７】
台座１は矩形でも、円形でも、楕円状に成形しても良い。
【００１８】
位牌２は公知のように戒名２Ｂを記載した矩形の札板２Ａから構成されているが、形状は図示のものに限らず、他の立方体形状でも良い。
【００１９】
台座１には平面長方形状の穴４と、この穴４の隣の平面円形の他の穴５が形成されている。
【００２０】
そして、上記位牌１の下部を上記の一方の穴４内に嵌合して立て掛けている。
【００２１】
上記遺骨収納容器３は分骨された遺骨を収納する円筒状の筒部５と、筒部５の上部に着脱自在に取付けた蓋６とで構成し、筒部５を上記台座１に形成した他の穴７内に嵌合して立て掛けている。
【００２２】
この場合、上記蓋６は一つでも良いが、図３に示のように、筒部５の上端開口部に嵌合させた中蓋６Ａと、中蓋６Ａの上方から上記筒部５の上部に着脱自在に取付けた上蓋６Ｂとで構成している。
【００２３】
上記蓋６の取付け構造は図示のものに限らず、要は、筒部５の上端開口部を塞ぐようになっていれば良い。
【００２４】
上記筒部５と蓋６は金属、合成樹脂、非鉄金属等の材料で成形されるが、特に上記中蓋６Ａはコルク、木材で成形するのが好ましい。
【００２５】
筒部５と蓋６を上記の材料で成形することにより仏具Ａの落下、転倒等の事故があった時でもその破損を防止でき、遺骨の拡散も防止できる。
【００２６】
上記の仏具Ａは単独で家庭の部屋の棚や床の間の上に置いても良いが、図４に示す簡易式の仏壇の一部として使用しても良い。
【００２７】
この仏壇は、支持台１０と、支持台１０の背部に起立して家紋、寺紋、個人が作成した絵又は故人の写真や経歴等を表示したパネル１１と、支持台１０上に立て掛けた上記の仏具Ａと、同じく上記支持台１０上に仏具Ａに近接してそれぞれ立て掛けた線香竪Ｂ、ロウソク竪Ｃ及び花瓶Ｄとを備えたものである。
【００２８】
この簡易式の仏壇は支持台１０上に仏具Ａ等を立て掛けるだけであるから高価で大掛かりな仏壇が不要であり、設置スペースが小さい場所に置くのに適し、加工性、組付性、経済性に優れている。
【００２９】
以上のように、本考案の単一の仏具Ａは、台座１と、位牌２と、遺骨収納容器６のみで構成しているので、構造が簡単で、シンプルであり、加工性に優れている。
【００３０】
しかも、位牌２は台座１に形成した穴４内に嵌合して立て掛けただけであり、遺骨収納容器３も他の穴７内に嵌合して立て掛けるだけであるから、これら位牌２と遺骨収納容器３の台座１に対する結合構造が簡単であり、特別な機械的な結合構造が不要となり、加工性、組付性、経済性に優れている。
【００３１】
さらに、位牌２と遺骨収納容器３は台座１に形成した穴４、７内に嵌合させているだけであるか、火災等の緊急時にこれらを穴４、７から抜いて簡単に外部に持ち運びできる。
同様に、家族が長期間の外出、旅行時にもこれらの位牌２と遺骨収納容器３を台座１から抜きだして巾着等に収容して帯同することにより常に故人を身近に感じながら忍ぶことができる。
【符号の説明】
【００３２】
１  台座
２  位牌
３  遺骨収納容器
４、７  穴
６  蓋
６Ａ  中蓋
６Ｂ  上蓋
１０  支持台
１１  パネル
Ａ  仏具
Ｂ  線香竪
Ｃ  ロウソク竪
Ｄ  花瓶
【図１】
0003211633.tif 000003
【図２】
0003211633.tif 000004
【図３】
0003211633.tif 000005
【図４】
0003211633.tif 000006